(57)【要約】【課題】投影機能と照明機能を備えた投影装置を外部から制御可能な情報処理装置において、投影装置がどちらの機能で動作しているかをユーザに提示することが可能な情報処理装置を提供することである。【解決手段】投影装置を外部から制御可能な情報処理装置であって、前記投影装置と通信する通信手段と、前記通信手段を介して前記投影装置から、当該投影装置が有する機能に関する情報を取得する取得手段と、前記取得手段により取得した前記投影装置が有する機能に関する情報を提示する提示手段と、前記取得手段により取得した前記投影装置が有する機能に関する情報に基づいて、前記投影装置が投影機能により動作している状態か、照明機能により動作している状態かを提示するように前記提示手段を制御する制御手段と、を有する。【選択図】図５
2018195291.tif 000002
【特許請求の範囲】
【請求項１】
投影装置を外部から制御可能な情報処理装置であって、
前記投影装置と通信する通信手段と、
前記通信手段を介して前記投影装置から、当該投影装置が有する機能に関する情報を取得する取得手段と、
前記取得手段により取得した前記投影装置が有する機能に関する情報を提示する提示手段と、
前記取得手段により取得した前記投影装置が有する機能に関する情報に基づいて、前記投影装置が投影機能により動作している状態か、照明機能により動作している状態かを提示するように前記提示手段を制御する制御手段と、を有することを特徴とする情報処理装置。
【請求項２】
前記制御手段は、前記投影装置が投影機能により動作している状態及び照明機能により動作している状態のうちのいずれの動作状態であるかを代替的に提示するように前記提示手段を制御することを特徴とする請求項１に記載の情報処理装置。
【請求項３】
前記通信手段により通信可能な投影装置を探索する探索手段をさらに有し、
前記制御手段は、前記探索手段により探索された投影装置ごとに投影装置が有する機能と、当該機能による動作状態をリストで表示するように制御することを特徴とする請求項１に記載の情報処理装置。
【請求項４】
前記制御手段は、前記探索手段により探索された投影装置ごとに投影装置が投影機能により動作している状態か、照明機能により動作している状態かを表示するように制御することを特徴とする請求項３に記載の情報処理装置。
【請求項５】
前記制御手段は、前記探索手段により探索された投影装置ごとの機能とその動作状態を、前記機能ごとに並べ替えて表示するように制御することを特徴とする請求項３または４に記載の情報処理装置。
【請求項６】
前記制御手段は、前記探索手段により探索された投影装置が前記照明機能を有していない場合、当該投影装置が前記照明機能を有していないことを識別可能に表示するように制御することを特徴とする請求項３から５のいずれか１項に記載の情報処理装置。
【請求項７】
前記制御手段は、前記投影装置が前記照明機能による動作状態であった場合、当該投影装置が有する機能に関する情報を表示しないように制御することを特徴とする請求項４に記載の情報処理装置。
【請求項８】
前記探索手段により探索された投影装置の中から、ユーザが接続したい投影装置を選択可能な選択手段をさらに有することを特徴とする請求項３から６のいずれか１項に記載の情報処理装置。
【請求項９】
前記制御手段は、前記通信手段により前記情報処理装置と接続される前に、ユーザにより選択された投影装置が照明機能による動作状態であることを通知することを特徴とする請求項８に記載の情報処理装置。
【請求項１０】
前記制御手段は、前記通信手段により前記情報処理装置と接続される前に、ユーザにより選択された投影装置との接続を実行するか否かを通知することを特徴とする請求項８に記載の情報処理装置。
【請求項１１】
前記制御手段は、ユーザにより選択された投影装置が接続されてから所定の時間、当該接続を解除するためのユーザ操作を受け付け可能に提示することを特徴とする請求項８に記載の情報処理装置。
【請求項１２】
前記制御手段は、前記接続を解除するためのユーザ操作を受け付けた場合、前記接続が解除された投影装置の動作モードを照明モードに切り替えると共に、当該投影装置を接続される前の照度に制御することを特徴とする請求項１１に記載の情報処理装置。
【請求項１３】
投影装置を外部から制御可能な情報処理装置であって、
前記投影装置と通信する通信手段と、
前記通信手段を介して前記投影装置から、当該投影装置が有する機能に関する情報を取得する取得手段と、
前記取得手段により取得した前記投影装置が有する機能に関する情報に基づいて、前記投影装置が、前記投影装置の投影機能を使用する状態である投影モードと前記投影装置の照明機能を使用する状態である照明モードとを含む複数の動作モードのうちのいずれの動作モードであるかを、表示部に表示する表示制御手段と、を有することを特徴とする情報処理装置。
【請求項１４】
前記複数の動作モードは、スタンバイモードを含むことを特徴とする請求項１３に記載の情報処理装置。
【請求項１５】
前記通信手段により通信可能な投影装置を探索する探索手段をさらに有し、
前記表示制御手段は、前記探索手段により探索された投影装置ごとに投影装置の動作モードをリストで前記表示部に表示するように制御することを特徴とする請求項１４に記載の情報処理装置。
【請求項１６】
投影装置を外部から制御可能な情報処理装置の制御方法であって、
通信手段を介して前記投影装置から、当該投影装置が有する機能に関する情報を取得する取得ステップと、
前記取得ステップにより取得した前記投影装置が有する機能に関する情報を提示する提示ステップと、
前記取得ステップにより取得した前記投影装置が有する機能に関する情報に基づいて、前記投影装置が投影機能により動作している状態か、照明機能により動作している状態かを提示するように制御する制御ステップと、を有することを特徴とする制御方法。
【請求項１７】
投影装置を外部から制御可能な情報処理装置の制御方法であって、
通信手段を介して前記投影装置から、当該投影装置が有する機能に関する情報を取得する取得ステップと、
前記取得ステップにより取得した前記投影装置が有する機能に関する情報に基づいて、前記投影装置が、前記投影装置の投影機能を使用する状態である投影モードと前記投影装置の照明機能を使用する状態である照明モードとを含む複数の動作モードのうちのいずれの動作モードであるかを、表示部に表示する表示制御ステップと、を有することを特徴とする制御方法。
【請求項１８】
コンピュータを、請求項１から１５のいずれか１項に記載された情報処理装置の各手段として機能させるためのプログラム。
【発明の詳細な説明】
【技術分野】
【０００１】
本発明は、投影機能と照明機能を備える投影装置を外部から制御する技術に関する。
【背景技術】
【０００２】
特許文献１や特許文献３には、照明機能と投影機能を備える装置が開示されている。これにより、例えば既存の照明器具と同様の位置に設置することで、照明として機能させつつ、映像の投影を行うことが可能となる。また、特許文献２には、コンピュータなどの情報処理装置とプロジェクタなどの投影装置とを通信可能に接続し、接続後に情報処理装置から投影装置に画像データを送出し、投影装置が画像データを投影する技術が開示されている。
【先行技術文献】
【特許文献】
【０００３】
【特許文献１】特開２０１２−１８６１１８号公報
【特許文献２】特開２００９−２９６６６１号公報
【特許文献３】国際公開第２０１６／１０４１９１号
【発明の概要】
【発明が解決しようとする課題】
【０００４】
上記のような投影機能と照明機能を備えた投影装置を、情報処理装置により外部から制御するケースが考えられる。このようなケースでは、投影装置を直接操作しないため、投影装置がどの機能で動作しているかをユーザが容易に認識できない場合がある。このような場合、接続すべきでない機能で動作中の投影装置へ接続することで誤動作させてしまう可能性がある。例えば、ユーザが照明モードで動作している投影装置を認識しないまま情報処理装置を接続しまった場合に、ユーザの意図に反して照明機能が停止され、投影機能に切り替わってしまう可能性がある。
【０００５】
本発明は、上述に鑑みてなされ、その目的は、投影機能と照明機能を備えた投影装置を外部から制御可能な情報処理装置において、投影装置がどの機能で動作しているかをユーザに提示することが可能な情報処理装置を提供することである。
【課題を解決するための手段】
【０００６】
上記課題を解決し、目的を達成するために、本発明は、投影装置を外部から制御可能な情報処理装置であって、前記投影装置と通信する通信手段と、前記通信手段を介して前記投影装置から、当該投影装置が有する機能に関する情報を取得する取得手段と、前記取得手段により取得した前記投影装置が有する機能に関する情報を提示する提示手段と、前記取得手段により取得した前記投影装置が有する機能に関する情報に基づいて、前記投影装置が投影機能により動作している状態か、照明機能により動作している状態かを提示するように前記提示手段を制御する制御手段と、を有する。
【発明の効果】
【０００７】
本発明によれば、投影機能と照明機能を備えた投影装置を外部から制御可能な情報処理装置において、投影装置がどの機能で動作しているかをユーザに提示し、ユーザは投影装置の動作状態を容易に把握することができる。
【図面の簡単な説明】
【０００８】
【図１】本実施形態のスマートフォンとプロジェクタからなるシステム構成図。
【図２】本実施形態のスマートフォンとプロジェクタの内部構成を示すブロック図。
【図３】本実施形態のプロジェクタの動作モードの遷移図。
【図４】実施形態１のスマートフォンとプロジェクタの接続処理を示すフローチャート。
【図５】実施形態１のスマートフォンとプロジェクタの接続時のＵＩ画面を例示する図。
【図６】実施形態１のスマートフォンとプロジェクタの接続時の通信データを例示する図。
【図７】実施形態１のスマートフォンとプロジェクタの接続時のＵＩ画面を例示する図。
【図８】実施形態２のスマートフォンとプロジェクタとの接続時のＵＩ画面の表示処理を示すフローチャート。
【図９】実施形態２のスマートフォンとプロジェクタの接続時のＵＩ画面を例示する図。
【図１０】実施形態３のスマートフォンとプロジェクタの接続処理を示すフローチャート。
【図１１】実施形態３のスマートフォンとプロジェクタの接続時のＵＩ画面を例示する図。
【発明を実施するための形態】
【０００９】
以下に、本発明を実施するための形態について詳細に説明する。尚、以下に説明する実施の形態は、本発明を実現するための一例であり、本発明が適用される装置の構成や各種条件によって適宜修正又は変更されるべきものであり、本発明は以下の実施の形態に限定されるものではない。また、後述する各実施形態の一部を適宜組み合わせて構成してもよい。
【００１０】
［実施形態１］以下、実施形態１について説明する。
【００１１】
図１は、本実施形態のシステム構成図である。本実施形態のシステムは、情報処理装置としてのスマートフォン１００のアプリケーションにより、投影装置としての投影機能と照明機能を備えるプロジェクタ２００を外部から遠隔制御可能である。プロジェクタ２００は、スマートフォン１００のアプリケーションにより投影機能に対応する投影モードと照明機能に対応する照明モードとに切り替え可能である。
【００１２】
なお、本実施形態では、プロジェクタ２００が投影機能と照明機能を備える例を説明するが、照明機能に限らず、スピーカなどで音声を出力する機能、ファンなどで空気を対流させるサーキュレーター機能、空気の温度や湿度を調節する空調機能、空気を浄化させる空気清浄機能を備えていたり、これらの機能の組み合わせであってもよい。また、照明機能は、スポットライトのような一般的な照明機能だけでなく、様々な照明が適用可能である。
【００１３】
図１では、スマートフォン１００とプロジェクタ２００を１台ずつ示しているが、１台のスマートフォン１００と複数台のプロジェクタ２００とでネットワークを構成することも可能である。
【００１４】
以下では、スマートフォン１００が同一ネットワーク内に複数存在するプロジェクタ２００を探索し、検索結果をユーザに提示する。そして、ユーザが選択した１台のプロジェクタと所定のプロトコルに従ってセッションを確立し、画像データを転送してプロジェクタで投影する実施形態について説明する。
【００１５】
＜スマートフォンの説明＞図２（ａ）を参照して、本実施形態のスマートフォン１００の構成および機能について説明する。
【００１６】
図２（ａ）において、スマートフォン１００は、制御部１０１、ＲＡＭ１０２、ＲＯＭ１０３、通信部１０４、操作部１０５、表示部１０６、表示制御部１０７、撮像部１０８、バッテリ１０９、電源部１１０、電源入力部１１１を備える。
【００１７】
制御部１０１は、スマートフォン１００の各ブロックの制御を行う演算処理装置（ＣＰＵ）である。ＲＡＭ１０２は、ワークメモリとして一時的に制御プログラムやデータを格納する揮発性メモリである。また、ＲＡＭ１０２は、後述する撮像部１０８で撮像された画像データを一時的に保持するバッファメモリや、後述する表示部１０６の画像表示用メモリとして使用される。ＲＯＭ１０３は、制御部１０１の処理手順を記述した制御プログラムを記憶する不揮発性メモリである。ここでいう、制御プログラムとは、後述するフローチャートの処理を実行するためのプログラムのことである。制御部１０１は、ＲＯＭ１０３に格納された制御プログラムを実行することで、後述するアプリケーションの機能を実現する。なお、制御部１０１が装置全体を制御する代わりに、複数のハードウェアが処理を分担することで、装置全体を制御してもよい。これは以下に説明するプロジェクタ２００の他のハードウェアについても同様であり、複数のハードウェアが処理を分担する構成としてよい。
【００１８】
また、ＲＯＭ１０３には、制御部１０１が実行する基本的なソフトウェアであるＯＳ（オペレーティングシステム）や、このＯＳと協働して応用的な機能を実現するアプリケーションが格納されている。本実施形態におけるスマートフォン１００の通信処理は、アプリケーションにより提供されるソフトウェアを読み込むことにより実現される。なお、アプリケーションはスマートフォン１００にインストールされたＯＳの基本的な機能を利用するためのソフトウェアを有しているものとする。なお、スマートフォン１００のＯＳが本実施形態における処理を実現するためのソフトウェアを有していてもよい。
【００１９】
通信部１０４は、後述するプロジェクタ２００などの外部装置と接続するためのインターフェースである。本実施形態のスマートフォン１００は、通信部１０４を介して、外部装置とデータの授受を行うことができる。また、通信部１０４は、３Ｇ／ＬＴＥ等の公衆回線やインターネットやイントラネットなどの通信ネットワークを介して、サーバーなどの外部装置とデータの授受を行うことができる。なお、本実施形態では、通信部１０４は外部装置とＩＥＥＥ８０２．１１の規格に従い、無線ＬＡＮで通信するためのインターフェースを含む。制御部１０１は、通信部１０４を制御することで外部装置との無線通信を実現する。なお、通信方式は無線ＬＡＮに限定されるものではなく、例えば、赤外線通信インターフェース、ＷｉｒｅｌｅｓｓＵＳＢなどの無線通信インターフェースを含むことができる。
【００２０】
操作部１０５は、ユーザからの各種操作を受け付ける各種スイッチ、ボタン、後述する表示部１０６の表示パネルと一体構成されるタッチパネル等の操作部材からなる。操作部１０５は、電源ボタン、ホームボタンおよびタッチパネルを含み、ホームボタンは、ユーザが押下することで実行中のアプリケーションを中断し、後述する表示部１０６に他のアプリケーションを選択できるホーム画面を表示することができる。
【００２１】
表示部１０６は、撮影した画像の表示、対話的な操作のための文字や図形や記号等のＧＵＩ（Ｇｒａｐｈｉｃａｌ Ｕｓｅｒ Ｉｎｔｅｒｆａｃｅ）の表示を行う。表示部１０６は、例えば、液晶ディスプレイ、有機ＥＬディスプレイ等の表示デバイスである。
【００２２】
表示制御部１０７は、表示部１０６に対して、撮影画像やプロジェクタ２００を操作するためのＵＩ（Ｕｓｅｒ  Ｉｎｔｅｒｆａｃｅ）画面や操作用の画像アイコンなどを表示するための制御信号を出力する。
【００２３】
撮像部１０８は、ズームレンズやフォーカスレンズを含むレンズ群、絞り機能を備えるシャッターを含む。また、撮像部１０８は、被写体像を電気信号に変換するＣＣＤやＣＭＯＳ素子等で構成される撮像素子、撮像素子から出力されるアナログ画像信号をデジタル信号に変換するＡ／Ｄ変換器を有する。撮像部１０８は、制御部１０１の制御により、撮像部１０８に含まれるレンズにより結像された被写体像光を、撮像素子により電気信号に変換し、ノイズ低減処理などを行って、デジタル信号からなる画像データを出力する。
【００２４】
バッテリ１０９は、アルカリ電池やリチウム電池等の一次電池やＮｉＣｄ電池やＮｉＭＨ電池、リチウムイオン電池等の二次電池などからなり、後述する電源部１１０へ電力を送出する。バッテリ１０９は、スマートフォン１００に内蔵され、または着脱可能な構成であってもよい。電源部１１０は、バッテリ１０９や後述する電源入力部１１１から送出される電力を、スマートフォン１００の各ブロックへ供給を制御する。電源入力部１１１は、商用（ＡＣ）電源などから電力を受け入れ、所定の電圧に整流して電源部１１０に送出する。
【００２５】
なお、本実施形態では、情報処理装置として携帯電話の一種であるスマートフォンを例示しているが、タブレットデバイスなどのモバイルデバイス、パーソナルコンピュータ（ＰＣ）などであってもよい。また、通信機能を備えた眼鏡型端末や腕時計型端末であってもよい。
【００２６】
＜スマートフォンの動作＞次に、本実施形態のスマートフォン１００の通常時の動作を説明する。
【００２７】
制御部１０１は、ユーザ操作により操作部１０５を介して電源オンの操作信号が入力されると、各ブロックに電力を供給するように電源部１１０を制御し、各ブロックを待機状態にする。電源がオンされた後、制御部１０１は、ＲＯＭ１０３に格納されている制御プログラムをＲＡＭ１０２に書き出し、制御プログラムに従って各ブロックに対し初期化処理を行う。初期化処理では、制御部１０１は、表示制御部１０７を制御して、表示部１０６に待ち受け画面の画像データを表示させる。
【００２８】
本実施形態のスマートフォン１００は、制御部１０１により通信部１０４を介してインターネットなどからＯＳ上で動作するアプリケーションプログラムを取得し実行することが可能である。また、制御部１０１は、アプリケーションプログラムに従い、通信部１０４を介して外部装置と通信することもできる。例えば、制御部１０１は、プロジェクタ２００との接続処理を行った後、スマートフォン１００からプロジェクタ２００へ表示用画像データを転送し、プロジェクタ２００で投影を行うこともできる。一方、制御部１０１は、ユーザ操作により操作部１０５を介して電源オフの操作信号が入力されると、ＲＡＭ１０２に書き込まれている設定データなどをＲＯＭ１０３に格納し、各ブロックが終了処理を行うよう制御する。
【００２９】
［プロジェクタの説明］次に、図２（ｂ）を参照して、本実施形態のプロジェクタ２００の構成および機能について説明する。
【００３０】
図２（ｂ）において、プロジェクタ２００は、制御部２０１、ＲＡＭ２０２、ＲＯＭ２０３、通信部２０４、操作部２０５、表示部２０６、表示制御部２０７、撮像部２０８、バッテリ２０９、電源部２１０、電源入力部２１１を備える。上記各ブロックの基本的な機能はスマートフォン１００と同様であるため詳細な説明は省略する。
【００３１】
通信部２０４は、スマートフォン１００などの外部装置から制御信号や映像データを受信するものであり、無線ＬＡＮや有線ＬＡＮなどの通信方式を用いることができる。
【００３２】
ＲＯＭ２０３は、プロジェクタ２００に内蔵され、または着脱可能な半導体メモリやハードディスクなどである。表示部２０６は、プロジェクタ２００の状態や警告等を表示する。撮像部２０８は、不図示のスクリーンを撮像する。
【００３３】
また、プロジェクタ２００は、画像処理部２１２、液晶部２２１、液晶駆動部２２２、光源２２３、光源制御部２２４、投影部２２５、投影制御部２２６を有する。
【００３４】
画像処理部２１２は、ＲＯＭ２０３から読み出した映像データ、通信部２０４により受信した映像データ、後述するメモリＩ／Ｆ２２７により読み込んだ映像データにフレーム数、画素数、画像形状などの変更処理を施して、液晶駆動部２２２に送出する。なお、制御部２０１が画像処理部２１２と同様の処理を実行してもよい。画像処理部２１２では、フレーム間引き処理、フレーム補間処理、解像度変換処理、画像合成処理、幾何学補正処理（キーストン補正処理、曲面補正処理）、パネル補正といった機能を実行することが可能である。
【００３５】
液晶部２２１は、Ｒ、Ｇ、Ｂのいずれかの液晶素子が割り当てられた３枚の液晶パネルを有し、各液晶パネルに光を透過させて映像を形成する。液晶駆動部２２２は、画像処理部２１２で処理された映像データに基づいて、Ｒ、Ｇ、Ｂの各液晶パネルの液晶素子の画素の液晶に印加する電圧を制御して、液晶素子の透過率を調整する。
【００３６】
光源２２３は、液晶部２２１に光を照射する。光源制御部２２４は、光源２２３のオン／オフの制御や光量の制御を行う、
投影部２２５は、液晶部２２１を透過した映像を不図示のスクリーンに投影する。投影部２２５は、光路上に配置された不図示のズームレンズやフォーカスレンズ、光拡散部を有する。投影部２２５は、後述する投影制御部２２６の制御により、光を拡散させないで透過することと、光を拡散させて透過することが可能である。光拡散部としては、印加電圧により光の透過と拡散を制御できるＰＤＬＣ（Ｐｏｌｙｍｅｒ  Ｄｉｓｐｅｒｓｅｄ  Ｌｉｑｕｉｄ  Ｃｒｉｓｔａｌ）やリバースＰＤＬＣを用いることができる。或いは、光路への挿入と退避が可能な拡散板等の可動式の光学部材を用いてもよい。
【００３７】
投影制御部２２６は、投影部２２５のズームレンズやフォーカスレンズを制御し、ズーム倍率や焦点調整、上記光拡散部の制御を行う。
【００３８】
また、プロジェクタ２００は、メモリＩ／Ｆ２２７、タイマー２２８、温度センサ２２９、冷却部２３０、ファイル再生部２３１、赤外線受信部２３２、焦点検出部２３３を有する。
【００３９】
メモリＩ／Ｆ２２７は、ＵＳＢメモリなどのメモリデバイスが接続されてデータの読み出し／書き込みを行うインターフェースである。メモリＩ／Ｆ２２７は、ポインティングデバイスやキーボードなどが接続されることもある。タイマー２２８は、各種制御に用いる時間や、内蔵時計の時間を計測する。温度センサ２２９は、液晶部２２１や光源２２３などの温度を計測する。冷却部２３０は、ファンやヒートシンクを備え、プロジェクタ２００の内部で発生した熱を外部に放出し冷却する。
【００４０】
ファイル再生部２３１は、制御部２０１により制御され、エンコードされた映像ファイルなどをデコードする。赤外線受信部２３２は、不図示のリモコンその他の電子機器から赤外線を受信し、制御部２０１に操作信号を送出する。焦点検出部２３３は、プロジェクタ２００と不図示のスクリーンの距離を検出し、焦点距離を検出する。
【００４１】
なお、制御部２０１とその他の各ブロックとは内部バス２３４により接続されており、各ブロックへの制御信号やデータの授受などのアクセスを行うことが可能である。
【００４２】
なお、本実施形態では、投影装置として液晶プロジェクタを例示しているが、これに限らず、ＤＬＰ（デジタル・ライト・プロセッシング）方式や、ＬＣＭＯＳ（反射型液晶素子）方式のプロジェクタであってもよい。
【００４３】
＜プロジェクタの動作＞次に、本実施形態のプロジェクタ２００の通常時の動作について説明する。
【００４４】
制御部２０１は、ユーザ操作により操作部２０５を介して電源オンの操作信号が入力されると、各ブロックに電力を供給するように電源部２１０を制御し、プロジェクタ２００をスタンバイモード（待機状態）に遷移させる。スタンバイモードでは、赤外受信部２３２や通信部２０４は動作可能な状態になっており、プロジェクタ２００はスマートフォン１００などの外部装置から操作信号が受信可能な状態となる。
【００４５】
次に、制御部２０１は、ユーザ操作により操作部２０５を介して投影モードに遷移する操作信号が入力されると、投影動作に必要となるブロックへ電力を供給するよう電源部２１０を制御する。そして、各ブロックへ電力が投入された後、制御部２０１は、光源制御部２２４を制御して光源２２３からの発光を開始する。次に、制御部２０１は、焦点検出部２３３により得られた焦点情報などに基づいて、投影制御部２２６を制御して投影部２２５での投影状態を調節する。投影制御部２２６は、投影部２２５のズームレンズやフォーカスレンズを駆動して不図示のスクリーン上に投影光が結像するよう制御する。このようにして、投影のための準備動作が完了する。
【００４６】
また、プロジェクタ２００は照明モードにおいては、投影制御部２２６により投影部２２５の光拡散部を制御して、白色光を投光し拡散することで照明として動作することも可能である。照明の方法はこの方法には限定されず、例えば白画像を投影することで結果的に投影面を明るくしてもよい。
【００４７】
また、制御部２０１は、操作部２０５を介して電源オフの操作信号が入力されたことにより、各ブロックに終了処理を行うように制御信号を送出する。そして、終了の準備が整うと、電源部２１０は待機時に動作させておくべきブロック以外への電源供給を順次終了しスタンバイモードへ遷移する。
【００４８】
ここで、図３の状態遷移図を用いて、本実施形態のプロジェクタ２００の各動作モードへの状態遷移について説明する。上述したように、電源がオンされると、プロジェクタ２００はＳＴ３０１のスタンバイモードへ遷移する。次に、投影モードに遷移するように操作信号が入力されると、ＳＴ３０２の投影モードへ遷移する。また、ＳＴ３０１のスタンバイモードにおいて、照明モードへ遷移するように操作信号が入力されると、ＳＴ３０３の照明モードへ遷移する。照明モードと投影モードは相互にモードを行き来することが可能で、いずれもユーザ操作により遷移させることができる。また、投影モードまたは照明モードにおいて、電源をオフする操作信号が入力されると、いずれもスタンバイモードへ遷移する。なお、上述の操作信号は、ユーザがプロジェクタ２００を直接操作して操作部２０５を介して入力することもできるし、ユーザがスマートフォン１００を操作して、その操作に基づき送信された信号を通信部２０４が受信することで入力することもできる。
【００４９】
以上のように、本実施形態のプロジェクタ２００は、ユーザ操作に応じてスタンバイモード、投影モード、照明モードのいずれかに遷移することが可能である。照明モードに遷移すると、プロジェクタ２００は投影部２２５の内部の光拡散部を制御して、光源２２３から照射される光を拡散状態にする。
【００５０】
＜ＵＩ画面の表示制御＞次に、図４から図６を参照して、本実施形態のスマートフォン１００によるＵＩ画面の表示制御について説明する。
【００５１】
以下では、スマートフォン１００が、スマートフォン１００と同一のネットワーク内に存在する複数のプロジェクタを探索する場合のスマートフォン１００とプロジェクタ２００のそれぞれのシーケンスを説明する。なお、本実施形態のスマートフォン１００およびプロジェクタ２００の構成は図２と同様である。
【００５２】
図４（ａ）、（ｂ）はスマートフォン１００が同一サブネット範囲に属する複数台のプロジェクタ２００を探索し、探索結果を表示部１０６に表示するまでのスマートフォン１００とプロジェクタ２００のシーケンスをそれぞれ示している。ここでスマートフォン１００とプロジェクタ２００は通信可能な状態であるものとし、予め取り決めた通信方式に基づいて、プロジェクタ探索、画像データ投影、遠隔制御などが行えるものとする。
【００５３】
なお、図４（ａ）の処理は、アプリケーションにより提供される制御プログラムをスマートフォン１００の制御部１０１が実行し、スマートフォン１００の各部を制御することにより実現される。なお、アプリケーションはスマートフォン１００にインストールされたＯＳの基本的な機能を利用するための制御プログラムを有しているものとする。なお、スマートフォン１００のＯＳが本実施形態における処理を実現するための制御プログラムを有していてもよい。後述する図８および図１０でも同様である。
【００５４】
まず、図４（ａ）を用いて、スマートフォン１００がプロジェクタ２００を探索する場合の制御部１０１の処理を説明する。ユーザがスマートフォン１００の表示部１０６に表示されるメニューなどをタッチ操作することで、制御部１０１はネットワーク内のプロジェクタの探索を開始する。
【００５５】
図５はスマートフォン１００の探索に関するＵＩ画面を例示しており、（ａ）はプロジェクタ探索前のＵＩ画面、（ｂ）はプロジェクタ探索により検出されたプロジェクタをリスト表示している状態のＵＩ画面をそれぞれ示している。図５の５００１は名称表示欄、５００２は動作モードを示すモード表示欄、５００３はユーザが探索開始を指示するためのボタンアイコンである。ユーザが探索ボタン５００３をタッチすることで、制御部１０１は同一サブネット範囲に属するプロジェクタの探索処理を開始する。そして、制御部１０１は、探索結果として名称表示欄５００１にプロジェクタの名称、モード表示欄５００２にプロジェクタの動作モードに対応する画像アイコン５００２ａ、５００２ｂを表示する。
【００５６】
Ｓ４０１では、制御部１０１へ割り込みが発生し、制御部１０１はタッチされたボタン（オブジェクト）に基づいて、通信部１０４を介して探索コマンドを送信する。ここでの通信方法は、例えば、ＵＤＰ（Ｕｓｅｒ  Ｄａｔａｇｒａｍ  Ｐｒｏｔｏｃｏｌ）などの情報を付加して通信できる方法であればどのような方法でもよい。制御部１０１は探索コマンドの送信先としてブロードキャストアドレスを指定し、ペイロード部にスマートフォン１００のＩＰアドレス、ポート番号等セットし同一サブネット内の装置に探索要求を配信してもよい。
【００５７】
Ｓ４０２では、制御部１０１はプロジェクタ２００からの探索に対する応答を待つ。ここでは後述するＳ４０５までの処理をループするものとし、終了条件は、探索開始後に表示する探索キャンセルボタン（不図示）をユーザが押下するまでとする。制御部１０１が通信部１０４を介して応答を受信したことを検出すると、処理をＳ４０３へ進める。
【００５８】
Ｓ４０３では、制御部１０１は通信部１０４を介して応答を受信したプロジェクタ２００に状態情報の要求コマンドを送信する。
【００５９】
Ｓ４０４では、制御部１０１はプロジェクタ２００からの状態情報の要求コマンドに対する応答を待つ。制御部１０１が通信部１０４を介して応答を受信すると、処理をＳ４０５へ進める。
【００６０】
Ｓ４０５では、制御部１０１は通信部１０４を介して受信した状態情報からプロジェクタ２００の名称及び動作モード情報（後述）を読み出し、ＲＡＭ１０２へ書き出す。制御部１０１は読み出した動作モード情報に基づいて各動作モードに紐付けられた画像アイコンデータをＲＯＭ１０３から読み出す。制御部１０１は読み出した画像アイコンデータおよびプロジェクタ２００の名称を所定の位置に描画するよう表示制御部１０７を制御する。
【００６１】
次に、図４（ｂ）を用いて、プロジェクタ２００が探索コマンドを受信した場合の制御部２０１のシーケンスについて説明する。
【００６２】
なお、図４（ｂ）の処理は、プロジェクタ２００の制御部２０１がＲＯＭ２０３に格納されている制御プログラムをＲＡＭ２０２に書き出して実行することにより実現される。後述する図１０でも同様である。
【００６３】
Ｓ４１１では、制御部２０１は探索コマンド受信待ち状態である。なお、本実施形態では、プロジェクタ２００がスタンバイモードに遷移した時点で上記コマンド待ち状態に遷移しているものとする。制御部２０１は通信部２０４を介して探索コマンドを受信すると、処理をＳ４１２へ進める。
【００６４】
Ｓ４１２では、制御部２０１は、受信したデータをＲＡＭ２０２へ書き出し、受信したデータに含まれる送信元のＩＰアドレス、ポート番号等を返信先として、自身が存在する旨の応答情報を通信部２０４を介してスマートフォン１００へ返信する。
【００６５】
Ｓ４１３では、制御部２０１は状態情報の要求コマンド待ち状態となり、要求コマンドを受信すると、処理をＳ４１４に進める。
【００６６】
Ｓ４１４では、制御部２０１は通信部２０４を介して図６に示すデータをスマートフォン１００へ送信する。図６はＳ４１４においてスマートフォン１００へ送信されるデータの構造を例示している。Ｄ６００はＵＤＰにおけるデータ構造を示しており、Ｄ６０１からＤ６０４はプロジェクタ２００の状態情報などを示している。Ｄ６０１は機種タイプを示す情報であり、例えば、投影機能かつ照明機能有り、投影機能のみ有り、照明機能のみ有りなどを示すことが可能なデータ部である。Ｄ６０２は動作モードを示す情報であり、例えば、投影モード、照明モード、スタンバイモードなどを示すことが可能なデータ部である。Ｄ６０３は動作状態を示す情報であり、例えば、投影オン、投影オフ、照明オン、照明オフなど、各動作モードにおけるより詳細な状態を示すことが可能なデータ部である。投影オンとは投影モードにおいて画像データを投影している状態であり、照明オンとは光源２２３から照射される光を拡散した状態のことである。また、投影オフおよび照明オフとはそれぞれ投影モードおよび照明モードにおいて光源を制御し、光の照射を停止している状態のことである。Ｄ６０４はプロジェクタ２００の名称を示す情報であり、ユーザにより予め設定された個別の名称を示すことが可能なデータ部である。上述のデータ構造に併せて、プロジェクタ２００の制御部２０１はＲＡＭ２０２、ＲＯＭ２０３から各種情報を読み出し、データをセットして通信部２０４を介してスマートフォン１００へ送信する。
【００６７】
次に、図７を参照して、スマートフォン１００による探索後のＵＩ画面の表示例について説明する。
【００６８】
まず、図７（ａ）〜（ｃ）の共通部分について説明する。図７の７００１は名称表示欄、７００２は動作モードを示すモード表示欄、７００３はユーザが探索開始を指示するためのボタンアイコンである。名称表示欄７００１にはプロジェクタ２００から送信される名称情報が表示される。モード表示欄７００２には各動作モードに対応する画像アイコンが表示される。図７は６台のプロジェクタ２００Ａ〜２００Ｆを探索した場合の表示例を示している。プロジェクタ２００Ａから名称「ＡＡＡ」、動作モード「照明」を受信した場合、「照明」に対応した画像アイコン７００２ａをモード表示欄７００２へ表示する。他のケースとしてプロジェクタ２００Ｃから名称「ＣＣＣ」、動作モード「投影」を受信した場合、「投影」に対応した画像アイコン７００２ｂをモード表示欄７００２へ表示する。プロジェクタ２００Ｆから名称「ＦＦＦ」、動作モード「スタンバイ」を受信した場合、「スタンバイ」に対応した画像アイコン７００２ｃをモード表示欄７００２へ表示する。なお、ここで説明したスマートフォン１００によるプロジェクタの探索はユーザによる探索開始指示に応じて行っているが、例えばスマートフォン１００のアプリケーション起動中はプログラムが自動的に定期探索を行い、その結果を適宜ＵＩ画面に反映してもよい。
【００６９】
ここでプロジェクタ２００から受信した情報に応じてスマートフォン１００の表示部１０６へ表示するＵＩ画面の表示形態を説明する。
【００７０】
図７（ａ）は、図６のＤ６０３に対応する動作状態を示す情報を反映したＵＩ画面の例である。モード表示欄７００２には名称「ＣＣＣ」および「ＤＤＤ」の動作モードに対応する画像アイコンがグレーアウトした状態で識別可能に表示されており、各プロジェクタ２００Ｃ、２００Ｄの動作状態が投影オフ、照明オフであることを提示している。名称「ＡＡＡ」および「ＢＢＢ」の動作モードに対応する画像アイコンはグレーアウトされていないので、各プロジェクタ２００Ａ、２００Ｂの動作状態が投影オン、照明オンであることを提示している。このＵＩ画面によって、各プロジェクタが投影機能により動作している状態及び照明機能により動作している状態のうちのいずれの動作状態であるかが代替的に提示される。
【００７１】
図７（ｂ）は、図６のＤ６０１に対応する機種タイプを示す情報を反映したＵＩ画面の例である。モード表示欄７００２における、画像アイコン７００２ａは照明機能を有することを提示しており、画像アイコン７００２ｂは投影機能を有することを提示している。モード表示欄７００２において、名称「ＡＡＡ」および「ＢＢＢ」のプロジェクタ２００Ａ、２００Ｂはいずれも機種タイプが「投影機能かつ照明機能有り」であるため、モード表示欄７００２には画像アイコン７００２ａ、７００２ｂが表示される。また、動作モードが「投影モード」ではない場合は投影モードに対応する画像アイコン７００２ｂがグレーアウトされ、「照明モード」ではない場合は照明モードに対応する画像アイコン７００２ａがグレーアウトされた状態でそれぞれ識別可能に表示される。
【００７２】
図７（ｃ）は、図６のＤ６０２に対応する動作モードを示す情報に基づいて探索したプロジェクタを動作モードごとにソートし並べ替えた場合のＵＩ画面の例である。図７（ｃ）では投影モード、照明モード、スタンバイモードの順番で先頭からソートされている。モード表示欄７００２には、名称「ＡＡＡ」、「ＤＤＤ」および「ＥＥＥ」のプロジェクタ２００Ａ、２００Ｄおよび２００Ｅは投影モードに対応する画像アイコン７００２ｂが提示されている。また、名称「ＢＢＢ」および「ＣＣＣ」のプロジェクタ２００Ｂおよび２００Ｃは照明モードに対応する画像アイコン７００２ａが提示されている。また、名称「ＦＦＦ」のプロジェクタ２００Ｆはスタンバイモードに対応する画像アイコン７００２ｃが提示されている。
【００７３】
以上の図７（ａ）〜（ｃ）に示す画面は、ユーザ操作により切り替え可能としてもよいし、少なくとも１つの画面のみを採用してもよい。また、図７（ａ）〜（ｃ）に表示される項目を組み合わせて、１つの画面に表示してもよい。また、プロジェクタとの接続履歴や、接続日時、接続回数等を元に最も直近に接続したプロジェクタから順にソートして提示、または接続回数の多いプロジェクタから順にソートして所定の順序にソートして提示してもよい。
【００７４】
なお、図示していないが、意図しない動作モードのプロジェクタへの接続を回避するため、特定の動作モード（例えば、照明モード）のプロジェクタを非表示としてもよい。この場合、図７のＵＩ画面においてユーザが選択可能なプロジェクタの候補から除外するように制御すればよい。ユーザはＵＩ画面にリスト表示されたプロジェクタのいずれかを選択すると、制御部１０１は、選択されたプロジェクタとの接続を確立し、接続されたプロジェクタに画像データを転送することで、画像データの投影が行える。
【００７５】
以上のように、プロジェクタ２００から受信した機能情報に応じてＵＩ画面の表示を制御することで、探索されたプロジェクタの動作状態を提示することができ、意図しない動作モードのプロジェクタへ誤って接続してしまう不都合を低減することができる。
【００７６】
［実施形態２］次に、実施形態２について説明する。
【００７７】
上述した実施形態１では、プロジェクタの動作状態を動作モードに対応する画像アイコンにより表示する例を説明したが、本実施形態では、ユーザが接続したいプロジェクタを選択した後にＵＩ画面でプロジェクタの動作モードを通知する例を説明する。なお、以下では、実施形態１と異なる点を中心に説明する。
【００７８】
図８は、スマートフォン１００がプロジェクタ２００を探索した後の制御部１０１によるＵＩ画面の表示制御処理のシーケンスを示している。
【００７９】
ユーザがスマートフォン１００の表示部１０６をタッチ操作することで、接続したいプロジェクタが選択されると処理を開始する。
【００８０】
Ｓ８０１では、制御部１０１は、表示部１０６へのユーザ操作により操作部１０５を介してプロジェクタを選択するための操作信号を受信すると、処理をＳ８０２に進める。
【００８１】
Ｓ８０２では、制御部１０１は、選択されたプロジェクタの動作モードを示す情報をＲＡＭ１０２から読み出し、動作モードを示す情報が照明モードであるか判定する。この情報はプロジェクタ探索時に通信部１０４から受信したタイミングで制御部１０１がＲＡＭ１０２に書き出してあるものとする。制御部１０１は、動作モードを示す情報が照明モードであると判定した場合、処理をＳ８０３に進める。
【００８２】
Ｓ８０３では、制御部１０１は、図９に示すようなユーザに接続確認を促すためのＵＩデータ９００４をＲＯＭ１０３から読み出し、ＵＩ画面として表示部１０６に表示するよう表示制御部１０７を制御する。図９に示すＵＩ画面には、ユーザに接続を再確認する旨の文字列および画像アイコンを含むＵＩデータ９００４が表示され、「はい」、「いいえ」の選択肢を提示している。ユーザにより、「はい」が押下された場合は、制御部１０１は選択されたプロジェクタへの接続処理を開始し、プロジェクタ２００は動作モードを照明モードから投影モードに遷移し、スマートフォン１００から転送される画像データを表示可能な状態となる。「いいえ」が押下された場合は、接続処理を行わず、再探索した結果のＵＩ画面の表示状態に移行してもよい。制御部１０１は、Ｓ８０２にて選択されたプロジェクタの動作モードが照明モードでないと判定した場合は、図９に示すＵＩ画面は表示せず、接続処理を開始する。
【００８３】
以上のように、選択されたプロジェクタの動作モードに応じてＵＩ画面を表示するように制御することで、意図しない状態のプロジェクタへ誤って接続してしまう不都合を低減することができる。
【００８４】
［実施形態３］以下、実施形態３について説明する。
【００８５】
実施形態２では、選択されたプロジェクタの動作モードに応じてユーザに確認を促すＵＩ画面を表示する例を説明したが、本実施形態では接続後にもＵＩ画面を表示しえ動作モードを通知する例を説明する。なお、以下では、実施形態１と異なる点を中心に説明する。
【００８６】
本実施形態のスマートフォン１００およびプロジェクタ２００の構成は図２と同様である。
【００８７】
図１０（ａ）、（ｂ）は、ユーザがＵＩ画面を介して接続したいプロジェクタを選択した後の制御部１０１によるＵＩ画面の表示制御処理のシーケンスを示している。
【００８８】
Ｓ１００１では、制御部１０１は、表示部１０６へのユーザ操作により操作部１０５を介してプロジェクタを選択するための操作信号を受信すると、処理をＳ１００２に進める。
【００８９】
Ｓ１００２では、制御部１０１は、通信部１０４を介して選択されたプロジェクへの接続処理及び画像データの送信を開始する。
【００９０】
Ｓ１００３では、制御部１０１は、ＲＯＭ１０３から接続キャンセルの画像アイコンデータを読み出し、ＵＩ画面を表示部１０６に表示するよう表示制御部１０７を制御する。図１１は接続キャンセルを行うためのＵＩ画面の表示例を示し、「接続キャンセル」の選択肢１１１５が提示されている。
【００９１】
Ｓ１００４では、制御部１０１は、所定時間にタイマーをセットし、制御部内の不図示の割り込み制御ブロックにおいて割り込み許可処理を実行する。この割り込み許可処理について図１０（ｂ）を用いて説明する。割り込み許可処理が開始されると、内部の割り込み制御ブロックから信号が出力される。Ｓ１０１０では、制御部１０１は、タイマー２２８により所定時間が経過したか判定し、所定時間が経過するまで、Ｓ１０１１およびＳ１０１２の処理をスキップしてＳ１００５に処理を進める。Ｓ１０１１では、制御部１０１は、接続キャンセルを受け付けるＵＩ画面を消去するよう表示制御部１０７を制御する。Ｓ１０１２では、制御部１０１は、内部の割り込み制御ブロックに割り込み禁止信号を出力し、Ｓ１００５に処理を進める。
【００９２】
図１０（ａ）に戻り、Ｓ１００５では、制御部１０１は、ユーザ操作により操作部１０５を介して接続キャンセルの操作信号が入力されたか判定する。制御部１０１は、接続キャンセルがタッチされたと判定した場合は処理をＳ１００６へ進め、そうでない場合は処理をＳ１００７に進める。
【００９３】
Ｓ１００６では、制御部１０１は、通信部１０４を介して照明モードに遷移するコマンドを送信する。
【００９４】
Ｓ１００７では、制御部１０１は、割り込み許可処理により接続キャンセルのためのＵＩ画面が既に消去されたか否かを判定し、消去されていないと判定した場合は処理をＳ１００５へ戻し、消去されたと判定した場合は処理を終了する。
【００９５】
Ｓ１００８では、制御部１０１は、通信部１０４を介して照度復帰コマンドを送信する。Ｓ１００９では、制御部１０１は、通信部１０４を介して画像データの転送を停止すると共に、接続解除コマンドを送信して処理を終了する。なお、Ｓ１００８ではスマートフォン１００からプロジェクタ２００に対し、照度を復帰するよう制御しているが、プロジェクタ２００が自ら照度を以前の状態に復帰させてもよい。例えばプロジェクタ２００が照明モードから投影モードに遷移する場合、遷移前の照度情報をＲＯＭ２０３に記憶し、再度照明モードへ復帰する際にＲＯＭ２０３から照度情報を読み出し自ら光源２２３を設定してもよい。
【００９６】
Ｓ１００９では、制御部１０１は、通信部１０４を介して画像データの転送を停止すると共に、接続解除コマンドを送信して処理を終了する。
【００９７】
次に、図１０（ｃ）を用いて、ユーザがＵＩ画面を介して接続したいプロジェクタを選択した後のプロジェクタの制御部２０１による制御処理のシーケンスを示している。
【００９８】
Ｓ１１０１では、制御部２０１は、スマートフォン１００から接続確立要求を受信したことに応じてスマートフォン１００との接続を確立する。
【００９９】
Ｓ１１０２では、制御部２０１は、現時点で設定されている照度に関するパラメータをＲＯＭ２０３へ書き込む。
【０１００】
Ｓ１１０３では、制御部２０１は、光源２２３からの拡散光の出力を停止し、投影部２２５から投影光を出力するように光源制御部２２４および投影制御部２２６を制御して、照明モードから投影モードへ動作状態を変更する。
【０１０１】
Ｓ１１０４では、制御部２０１は、通信部２０４を介して受信したスマートフォン１００からの画像データを投影するよう、画像処理部２１２および液晶駆動部２２２を制御し、Ｓ１１０５にてコマンド受信待ち状態に移行する。Ｓ１１０５で、制御部２０１はスマートフォン１００から通信部２０４を介してコマンドを受信すると、処理をＳ１１０６に進める。
【０１０２】
Ｓ１１０６では、制御部２０１は、スマートフォン１００から受信したデータに基づいてコマンド種別を判定し、照明モード遷移コマンドであると判定した場合は処理をＳ１１０７へ進め、そうでないと判定した場合は処理をＳ１１０８へ進める。
【０１０３】
Ｓ１１０７では、制御部２０１は、スマートフォン１００の各ブロックに対し照明モードに遷移するために必要な制御信号を送出した後、Ｓ１１０５のコマンド受信待ち状態に戻る。
【０１０４】
Ｓ１１０８では、制御部２０１は、スマートフォン１００から受信したデータに基づいてコマンド種別を判定し、照度復帰コマンドであると判定した場合は処理をＳ１１０９へ進め、そうでないと判定した場合は処理をＳ１１１０へ進める。
【０１０５】
Ｓ１１０９では、制御部２０１は、ＲＯＭ２０３に書き込んだ照度に関するパラメータをＲＡＭ２０２へ読み出し、読み出した照度に基づいて光源制御部２２４を制御した後、Ｓ１１０５のコマンド受信待ち状態に戻る。
【０１０６】
Ｓ１１１０では、制御部２０１は、スマートフォン１００から受信したデータに基づいてコマンド種別を判定し、接続解除コマンドであると判定した場合は処理をＳ１１１１へ進め、そうでない場合はＳ１１０５のコマンド受信待ち状態に戻る。
【０１０７】
Ｓ１１１１では、制御部２０１は、通信部２０４を制御してスマートフォン１００との接続を切断する処理を行い、処理を終了する。
【０１０８】
以上のように、照明モードのプロジェクタへ接続した後に接続キャンセルを行うためのＵＩ画面を表示することで、照明モードから投影モードに切り替えたことにより及ぼす影響を極力早い段階で抑制することが可能となる。
【０１０９】
［その他の実施形態］
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【０１１０】
１００…スマートフォン（情報処理装置）、１０１…制御部、１０４…通信部、１０５…操作部、１０６…表示部、２００…プロジェクタ（投影装置）、２０１…制御部、２０４…通信部、２２３…光源、２２４…光源制御部、２２５…投影部、２２６…投影制御部
【図１】
2018195291.tif 000003
【図２】
2018195291.tif 000004
【図３】
2018195291.tif 000005
【図４】
2018195291.tif 000006
【図５】
2018195291.tif 000007
【図６】
2018195291.tif 000008
【図７】
2018195291.tif 000009
【図８】
2018195291.tif 000010
【図９】
2018195291.tif 000011
【図１０】
2018195291.tif 000012
【図１１】
2018195291.tif 000013
【手続補正書】
【提出日】平成30年3月23日(2018.3.23)
【手続補正１】
【補正対象書類名】明細書
【補正対象項目名】００４４
【補正方法】変更
【補正の内容】
【００４４】
制御部２０１は、ユーザ操作により操作部２０５を介して電源オンの操作信号が入力されると、各ブロックに電力を供給するように電源部２１０を制御し、プロジェクタ２００をスタンバイモード（待機状態）に遷移させる。スタンバイモードでは、赤外線受信部２３２や通信部２０４は動作可能な状態になっており、プロジェクタ２００はスマートフォン１００などの外部装置から操作信号が受信可能な状態となる。
【手続補正２】
【補正対象書類名】図面
【補正対象項目名】図１０
【補正方法】変更
【補正の内容】
【図１０】
2018195291.tif 000014